【手続補正書】
【提出日】平成29年6月30日(2017.6.30)
【手続補正１】
【補正対象書類名】特許請求の範囲
【補正対象項目名】全文
【補正方法】変更
【補正の内容】
【特許請求の範囲】
【請求項１】
個別に発光を制御可能な複数の光源を有する発光手段と、
表示画像に基づいて、前記発光手段から照射された光を透過して画面に画像を表示する表示手段と、
各光源が対応する前記画面の領域における前記表示画像の特徴量に基づいて、各光源の発光輝度、および発光色の少なくとも一方である発光状態を制御する制御手段と、
を備え、
前記制御手段は、前記表示画像が第１画像と第２画像が異なる領域に配置される画像である場合に、
前記複数の光源のうち前記画面において前記第１画像と前記第２画像との境界を含む領域およびその近傍の領域に対応する対象光源の発光状態の変化が、
前記複数の光源のうち前記対象光源でない非対象光源の発光状態の変化に比べて抑制されるように制御する、
ことを特徴とする画像表示装置。
【請求項２】
特徴量と発光状態の対応関係である第１対応関係を表す情報を記憶する第１記憶手段と、
特徴量と発光状態の対応関係であり、且つ、特徴量に対応付けられている発光状態の範囲が第１対応関係よりも狭い第２対応関係を表す情報を記憶する第２記憶手段と、
をさらに有し、
前記制御手段は、
前記非対象光源の発光状態を、当該非対象光源に対応する領域の前記特徴量と前記第１対応関係とに基づいて制御し、
前記対象光源の発光状態を、当該対象光源に対応する領域の前記特徴量と前記第２対応関係とに基づいて制御する、
ことを特徴とする請求項１に記載の画像表示装置。
【請求項３】
前記制御手段は、
各光源の発光状態を、周期的に制御するものであって、
前記非対象光源の現在の発光状態を、当該非対象光源に対応する領域の現在の特徴量と、前の周期における当該非対象光源に対応する領域の特徴量との差に応じた第１変更量
だけ当該非対象光源の前の周期における発光状態を変更した値で制御し、
前記対象光源の現在の発光状態を、当該対象光源に対応する領域の現在の特徴量と、前の周期における当該対象光源に対応する領域の特徴量との差に応じた第２変更量だけ当該対象光源の前の周期における発光状態を変更した値で制御し、
前記第２変更量の絶対値の取り得る値の最大値は、前記第１変更量の絶対値の取り得る値の最大値よりも小さい、
ことを特徴とする請求項１に記載の画像表示装置。
【請求項４】
前記第１画像の特徴量である第１特徴量を取得する第１取得手段と、
前記第２画像の特徴量である第２特徴量を取得する第２取得手段と、
をさらに有し、
前記制御手段は、前記表示画像の変化による前記対象光源の発光状態の変化が、前記非対象光源に比べて、前記第１特徴量と前記第２特徴量の差が大きいほど大きく抑制されるように、各光源の発光状態を制御する、
ことを特徴とする請求項１から３のいずれか１項に記載の画像表示装置。
【請求項５】
前記第１画像が動画像である場合に、前記第１画像のシーンの切り変わりを検出する第１検出手段と、
前記第２画像が動画像である場合に、前記第２画像のシーンの切り変わりを検出する第２検出手段と、
をさらに有し、
前記制御手段は、前記第１画像と前記第２画像が動画像であり、且つ、前記第１画像のシーンと前記第２画像のシーンとが同時に切り替わった場合に、前記対象光源を前記非対象光源とみなして、各光源の発光状態を制御する、
ことを特徴とする請求項１から４のいずれか１項に記載の画像表示装置。
【請求項６】
第１画像と第２画像とが互いに異なる領域に配置された表示画像に基づく画像を表示することが可能な画像表示装置であって、
個別に発光を制御可能な複数の光源を有する発光手段と、
前記表示画像に基づいて、前記発光手段から照射された光を透過して画面に前記画像を表示する表示手段と、
前記複数の光源それぞれに対応する前記画面の領域における前記表示画像の部分の明るさを示す特徴量に基づいて、各光源の発光輝度を制御する制御手段と、
を備え、
前記第１画像と前記第２画像との境界からの距離が所定の距離以下である領域に対応する対象光源の取りうる発光輝度の範囲は、前記複数の光源のうち前記対象光源でない非対象光源が取りうる発光輝度の範囲よりも狭い、
ことを特徴とする画像表示装置。
【請求項７】
前記対象光源は、前記複数の光源のうち、前記画面のうち前記第１画像の一部が表示される領域、および前記画面のうち前記第２画像の一部が表示される領域に光を照射することが可能な光源である、
ことを特徴とする請求項６に記載の画像表示装置。
【請求項８】
前記対象光源の輝度の取りうる最小輝度は、前記非対象光源の輝度の取りうる最小輝度よりも高い、
ことを特徴とする請求項６または７に記載の画像表示装置。
【請求項９】
前記特徴量に対して前記非対象光源の取りうる発光輝度の範囲が対応付けられた情報を示す第１対応情報と、前記特徴量に対して前記対象光源の取りうる発光輝度の範囲が対応
付けられた情報を示す第２対応情報と、を記憶する記憶手段を備え、
前記制御手段は、前記第１対応情報と、前記非対象光源に対応する領域の前記特徴量とに基づいて、当該非対象光源の発光輝度を制御し、前記第２対応情報と、前記対象光源に対応する領域の前記特徴量とに基づいて、当該対象光源の発光輝度を制御する、
ことを特徴とする請求項６から８のいずれか１項に記載の画像表示装置。
【請求項１０】
前記制御手段は、前記第１対応情報において前記対象光源に対応する領域の前記特徴量に対応する発光輝度と、前記第２対応情報において当該対象光源に対応する領域の前記特徴量に対応する発光輝度と、を当該対象光源と前記境界との距離に応じて重みづけ加算した発光輝度で、当該対象光源の発光輝度を制御する、
ことを特徴とする請求項９に記載の画像表示装置。
【請求項１１】
前記制御手段は、前記対象光源が複数ある場合に、複数の前記対象光源の輝度を、複数の前記対象光源それぞれに対応する領域の特徴量に基づく発光輝度で、共通に制御する、ことを特徴とする請求項９に記載の画像表示装置。
【請求項１２】
前記制御手段は、前記第１画像の明るさと前記第２画像の明るさとの差が所定の値よりも小さい場合に、前記対象光源の発光輝度を、当該対象光源に対応する領域の前記特徴量と前記第１対応情報とに基づいて制御する、
ことを特徴とする請求項９に記載の画像表示装置。
【請求項１３】
第１画像と第２画像とが互いに異なる領域に配置された表示画像に基づく画像を表示することが可能な画像表示装置であって、
個別に発光を制御可能な複数の光源を有する発光手段と、
前記表示画像に基づいて、前記発光手段から照射された光を透過して画面に前記画像を表示する表示手段と、
前記複数の光源それぞれに対応する前記画面の領域における前記表示画像の部分の明るさを示す特徴量に基づいて、周期的に各光源の発光輝度を制御する制御手段と、
を備え、
前記第１画像と前記第２画像との境界からの距離が所定の距離以下である領域に対応する対象光源の発光輝度は、前の周期における当該対象光源の発光輝度との差が第２差分値以下となるように制御され、
前記複数の光源のうち前記対象光源でない非対象光源の発光輝度は、前の周期における当該非対象光源の発光輝度との差が第１差分値以下となるように制御され、
前記第２差分値は、前記第１差分値よりも小さい、
ことを特徴とする画像表示装置。
【請求項１４】
前記複数の光源のうち、前記対象光源を検出する検出手段を備える、
ことを特徴とする請求項１から１３のいずれか１項に記載の画像表示装置。
【請求項１５】
前記検出手段は、前記第１画像が表示される領域と前記第２画像が表示される領域との両方に光を照射する光源を、前記対象光源として検出する、
ことを特徴とする請求項１４に記載の画像表示装置。
【請求項１６】
各光源は、前記画面の領域のうち、当該光源が配置されている位置から所定の半径の円形の領域に光を照射し、
前記検出手段は、前記光源から前記境界の位置までの距離が、前記所定の半径と前記境界の位置から前記第１画像または前記第２画像までの距離との差以下である光源を、前記対象光源として検出する、
ことを特徴とする請求項１４に記載の画像表示装置。
【請求項１７】
前記検出手段は、
前記境界の位置よりも前記第１画像が表示される領域の側に配置されており、且つ、前記境界の位置までの距離が第２閾値以下である光源と、
前記境界の位置よりも前記第２画像が表示される領域の側に配置されており、且つ、前記境界の位置までの距離が第３閾値以下である光源と、
を前記対象光源として検出する、
ことを特徴とする請求項１４に記載の画像表示装置。
【請求項１８】
個別に発光を制御可能な複数の光源を有する発光手段と、
表示画像に基づいて、前記発光手段から照射された光を透過して画面に画像を表示する表示手段と、
を有する画像表示装置の制御方法であって、
各光源が対応する前記画面の領域における前記表示画像の特徴量に基づいて、各光源の発光輝度、および発光色の少なくとも一方である発光状態を制御する制御ステップ
を有し、
前記制御ステップにおいて、前記表示画像が第１画像と第２画像が異なる領域に配置される画像である場合に、
前記複数の光源のうち前記画面において前記第１画像と前記第２画像との境界を含む領域およびその近傍の領域に対応する対象光源の発光状態の変化が、
前記複数の光源のうち前記対象光源でない非対象光源の発光状態の変化に比べて抑制されるように制御する、
ことを特徴とする画像表示装置の制御方法。
【請求項１９】
第１画像と第２画像とが互いに異なる領域に配置された表示画像に基づく画像を表示することが可能な画像表示装置であって、
個別に発光を制御可能な複数の光源を有する発光手段と、
前記表示画像に基づいて、前記発光手段から照射された光を透過して画面に前記画像を表示する表示手段と、
を有する画像表示装置の制御方法であって、
前記複数の光源それぞれに対応する前記画面の領域における前記表示画像の部分の明るさを示す特徴量に基づいて、各光源の発光輝度を制御する制御ステップ
を有し、
前記第１画像と前記第２画像との境界からの距離が所定の距離以下である領域に対応する対象光源の取りうる発光輝度の範囲は、前記複数の光源のうち前記対象光源でない非対象光源が取りうる発光輝度の範囲よりも狭い、
ことを特徴とする画像表示装置の制御方法。
【請求項２０】
第１画像と第２画像とが互いに異なる領域に配置された表示画像に基づく画像を表示することが可能な画像表示装置であって、
個別に発光を制御可能な複数の光源を有する発光手段と、
前記表示画像に基づいて、前記発光手段から照射された光を透過して画面に前記画像を表示する表示手段と、
を有する画像表示装置の制御方法であって、
前記複数の光源それぞれに対応する前記画面の領域における前記表示画像の部分の明るさを示す特徴量に基づいて、周期的に各光源の発光輝度を制御する制御ステップ
を有し、
前記第１画像と前記第２画像との境界からの距離が所定の距離以下である領域に対応する対象光源の発光輝度は、前の周期における当該対象光源の発光輝度との差が第２差分値以下となるように制御され、
前記複数の光源のうち前記対象光源でない非対象光源の発光輝度は、前の周期における当該非対象光源の発光輝度との差が第１差分値以下となるように制御され、
前記第２差分値は、前記第１差分値よりも小さい、
ことを特徴とする画像表示装置の制御方法。
【請求項２１】
請求項１８から２０のいずれか１項に記載の画像表示装置の制御方法の各ステップをコンピュータに実行させるためのプログラム。
【手続補正２】
【補正対象書類名】明細書
【補正対象項目名】０００８
【補正方法】変更
【補正の内容】
【０００８】
本発明の第１の態様は、
個別に発光を制御可能な複数の光源を有する発光手段と、
表示画像に基づいて、前記発光手段から照射された光を透過して画面に画像を表示する表示手段と、
各光源が対応する前記画面の領域における前記表示画像の特徴量に基づいて、各光源の発光輝度、および発光色の少なくとも一方である発光状態を制御する制御手段と、
を備え、
前記制御手段は、前記表示画像が第１画像と第２画像が異なる領域に配置される画像である場合に、
前記複数の光源のうち前記画面において前記第１画像と前記第２画像との境界を含む領域およびその近傍の領域に対応する対象光源の発光状態の変化が、
前記複数の光源のうち前記対象光源でない非対象光源の発光状態の変化に比べて抑制されるように制御する、
ことを特徴とする画像表示装置である。
本発明の第２の態様は、
第１画像と第２画像とが互いに異なる領域に配置された表示画像に基づく画像を表示することが可能な画像表示装置であって、
個別に発光を制御可能な複数の光源を有する発光手段と、
前記表示画像に基づいて、前記発光手段から照射された光を透過して画面に前記画像を表示する表示手段と、
前記複数の光源それぞれに対応する前記画面の領域における前記表示画像の部分の明るさを示す特徴量に基づいて、各光源の発光輝度を制御する制御手段と、
を備え、
前記第１画像と前記第２画像との境界からの距離が所定の距離以下である領域に対応する対象光源の取りうる発光輝度の範囲は、前記複数の光源のうち前記対象光源でない非対象光源が取りうる発光輝度の範囲よりも狭い、
ことを特徴とする画像表示装置である。
本発明の第３の態様は、
第１画像と第２画像とが互いに異なる領域に配置された表示画像に基づく画像を表示することが可能な画像表示装置であって、
個別に発光を制御可能な複数の光源を有する発光手段と、
前記表示画像に基づいて、前記発光手段から照射された光を透過して画面に前記画像を表示する表示手段と、
前記複数の光源それぞれに対応する前記画面の領域における前記表示画像の部分の明るさを示す特徴量に基づいて、周期的に各光源の発光輝度を制御する制御手段と、
を備え、
前記第１画像と前記第２画像との境界からの距離が所定の距離以下である領域に対応す
る対象光源の発光輝度は、前の周期における当該対象光源の発光輝度との差が第２差分値以下となるように制御され、
前記複数の光源のうち前記対象光源でない非対象光源の発光輝度は、前の周期における当該非対象光源の発光輝度との差が第１差分値以下となるように制御され、
前記第２差分値は、前記第１差分値よりも小さい、
ことを特徴とする画像表示装置である。
【手続補正３】
【補正対象書類名】明細書
【補正対象項目名】０００９
【補正方法】変更
【補正の内容】
【０００９】
本発明の第４の態様は、
個別に発光を制御可能な複数の光源を有する発光手段と、
表示画像に基づいて、前記発光手段から照射された光を透過して画面に画像を表示する表示手段と、
を有する画像表示装置の制御方法であって、
各光源が対応する前記画面の領域における前記表示画像の特徴量に基づいて、各光源の発光輝度、および発光色の少なくとも一方である発光状態を制御する制御ステップ
を有し、
前記制御ステップにおいて、前記表示画像が第１画像と第２画像が異なる領域に配置される画像である場合に、
前記複数の光源のうち前記画面において前記第１画像と前記第２画像との境界を含む領域およびその近傍の領域に対応する対象光源の発光状態の変化が、
前記複数の光源のうち前記対象光源でない非対象光源の発光状態の変化に比べて抑制されるように制御する、
ことを特徴とする画像表示装置の制御方法である。
本発明の第５の態様は、
第１画像と第２画像とが互いに異なる領域に配置された表示画像に基づく画像を表示することが可能な画像表示装置であって、
個別に発光を制御可能な複数の光源を有する発光手段と、
前記表示画像に基づいて、前記発光手段から照射された光を透過して画面に前記画像を表示する表示手段と、
を有する画像表示装置の制御方法であって、
前記複数の光源それぞれに対応する前記画面の領域における前記表示画像の部分の明るさを示す特徴量に基づいて、各光源の発光輝度を制御する制御ステップ
を有し、
前記第１画像と前記第２画像との境界からの距離が所定の距離以下である領域に対応する対象光源の取りうる発光輝度の範囲は、前記複数の光源のうち前記対象光源でない非対象光源が取りうる発光輝度の範囲よりも狭い、
ことを特徴とする画像表示装置の制御方法である。
本発明の第６の態様は、
第１画像と第２画像とが互いに異なる領域に配置された表示画像に基づく画像を表示することが可能な画像表示装置であって、
個別に発光を制御可能な複数の光源を有する発光手段と、
前記表示画像に基づいて、前記発光手段から照射された光を透過して画面に前記画像を表示する表示手段と、
を有する画像表示装置の制御方法であって、
前記複数の光源それぞれに対応する前記画面の領域における前記表示画像の部分の明るさを示す特徴量に基づいて、周期的に各光源の発光輝度を制御する制御ステップ
を有し、
前記第１画像と前記第２画像との境界からの距離が所定の距離以下である領域に対応する対象光源の発光輝度は、前の周期における当該対象光源の発光輝度との差が第２差分値以下となるように制御され、
前記複数の光源のうち前記対象光源でない非対象光源の発光輝度は、前の周期における当該非対象光源の発光輝度との差が第１差分値以下となるように制御され、
前記第２差分値は、前記第１差分値よりも小さい、
ことを特徴とする画像表示装置の制御方法である。
【手続補正４】
【補正対象書類名】明細書
【補正対象項目名】００１０
【補正方法】変更
【補正の内容】
【００１０】
本発明の第７の態様は、上述した画像表示装置の制御方法の各ステップをコンピュータに実行させるためのプログラムである。